(57)【要約】【課題】壁パネル、支柱及び係止具の仕上がり精度を厳しくすることなく、係止時のガタ付きを容易にまた確実に防止することができる壁パネル係止構造の提供を目的とするものである。【解決手段】係止具３には、支柱１の面板１ａの支柱係止孔５に挿入される第１係止片８と壁パネル２の裏板部６の壁パネル係止孔７に挿入される第２係止片９との間に、上向き開口溝１１と下向き開口溝１２とが形成され、前記裏板部６には、弾性変形可能な突部１０が少なくとも壁パネル係止孔７の上方に設けられ、上下両開口溝１１，１２内に、前記面板１ａと裏板部６とが重ねた状態で配置されるとき、突部１０が第２係止片９により弾性変形可能に押圧されるように構成した。【選択図】  図４
2005048377.tif 000002
【特許請求の範囲】
【請求項１】
壁パネルが係止具を介して支柱に係止される構造において、
前記係止具には、前記支柱の面板に穿設された支柱係止孔に挿入される第１係止片と、前記壁パネルの裏板部に穿設された壁パネル係止孔に挿入される第２係止片とが備えられ、これら第１係止片と第２係止片との間に、上向き開口溝と下向き開口溝とが形成され、
前記壁パネルの裏板部には、弾性変形可能な突部が少なくとも前記壁パネル係止孔の上方に設けられ、
前記上下両開口溝内に、前記支柱の面板と前記壁パネルの裏板部とが重ねた状態で配置されるとき、前記突部が前記第２係止片により弾性変形可能に押圧されるように構成したことを特徴とする壁パネル係止構造。
【請求項２】
前記突部は、前記壁パネル係止孔に連続または近接する上方の部位を膨出して形成されていることを特徴とする請求項１に記載の壁パネル係止構造。
【請求項３】
前記突部は、前記壁パネルの裏板部に形成された縦長の補強突条であり、この補強突条に前記壁パネル係止孔が穿設されていることを特徴とする請求項１に記載の壁パネル係止構造。
【請求項４】
前記突部は、前記第２係止片側が突形状となるように形成されていることを特徴とする請求項１から３のいずれかに記載の壁パネル係止構造。
【請求項５】
前記第２係止片の下端部を前記第１係止片の下端部より下方に位置させ、
前記下向き開口溝では、前記第１係止片及び第２係止片の各下端部と下向き開口溝における第２係止片の根元部とで前記支柱の面板を挟持するように、下向き開口溝に面する領域に凹所を設けていることを特徴とする請求項１から４のいずれかに記載の壁パネル係止構造。
【請求項６】
前記下向き開口溝の上端部から第１係止片の上端部までの高さ寸法が前記支柱係止孔の上下寸法よりも大きくなるように設定され、前記第２係止片の上端部を第１係止片の上端部よりも下方に位置させ、第２係止片における上部の内角部が切り欠き形成され、前記第１係止片が下端側に行くに従って細くなる下窄まり状に形成されていることを特徴とする請求項１から５のいずれかに記載の壁パネル係止構造。
【発明の詳細な説明】
【０００１】
【発明の属する技術分野】
本発明は、壁パネルが係止具を介して支柱に係止される壁パネル係止構造に関するものである。
【０００２】
【従来の技術】
一般的に、床面上に立設された支柱に係止具を介して壁パネルを係止するに際しては、係止具をまず支柱に係止し、この係止具に壁パネルを係止するように構成される。このような係止具としては、例えば、特許文献１に記載されているような、支柱の面板に穿設された支柱係止孔に挿入される第１係止片と、壁パネルの裏板部に穿設された壁パネル係止孔に挿入される第２係止片とを備え、これら第１係止片と第２係止片との間に上向き開口溝と下向き開口溝とが形成されたものが利用される。この特許文献１の係止具では、係止具の上向き開口溝内に支柱の面板と壁パネルの裏板部とが重ねて配置されるため、上向き開口溝の溝幅寸法を支柱の面板の板厚寸法と壁パネルの裏板部の板厚寸法の和と略同じに設定されている。そして、第１係止片の上端側を支柱の面板の内側に当接させるとともに、第２係止片の下端部に設けた突起部を、支柱の面板の外側に当接させることにより、係止具の支柱に対する係止強度を高めている。
【０００３】
【特許文献１】
実公平７−４０００４号公報（図４参照）
【０００４】
【発明が解決しようとする課題】
しかしながら、特許文献１の構成では、上向き開口溝の溝幅寸法、支柱の面板の板厚寸法、及び壁パネルの裏板部の板厚寸法のいずれかが予定どおりに仕上がっていない場合に、上向き開口溝に壁パネルの裏板部を嵌め込むことができなかったり、あるいは上向き開口溝において支柱の面板と壁パネルの裏板部とがガタ付いたりという不具合を生じていた。そのため、このような不具合を生じないように、上向き開口溝の溝幅寸法、支柱の面板の板厚寸法、及び壁パネルの裏板部の板厚寸法の各仕上がり精度を厳しく管理して製造しなければならなかった。
【０００５】
そこで、このような厳しい寸法精度を要する製造を回避するために、上向き開口溝内に配置される支柱の面板と壁パネルの裏板部との隙間にゴムシートを貼着し、その弾性によりガタ付きを防止する方法が考えられた。しかしながら、ゴムシートを貼着するために製造工数が増えるため、その改善が要望されていた。
【０００６】
本発明は、このような課題を解消し、壁パネル、支柱及び係止具の仕上がり精度を厳しくすることなく、係止時のガタ付きを容易にまた確実に防止することができる壁パネル係止構造の提供を目的とするものである。
【０００７】
【課題を解決するための手段】
上記目的を達成するために、請求項１に記載の発明における壁パネル係止構造は、壁パネルが係止具を介して支柱に係止される構造において、前記係止具には、前記支柱の面板に穿設された支柱係止孔に挿入される第１係止片と、前記壁パネルの裏板部に穿設された壁パネル係止孔に挿入される第２係止片とが備えられ、これら第１係止片と第２係止片との間に、上向き開口溝と下向き開口溝とが形成され、前記壁パネルの裏板部には、弾性変形可能な突部が少なくとも前記壁パネル係止孔の上方に設けられ、前記上下両開口溝内に、前記支柱の面板と前記壁パネルの裏板部とが重ねた状態で配置されるとき、前記突部が前記第２係止片により弾性変形可能に押圧されるように構成したことを特徴とするものである。
【０００８】
また、請求項２に記載の発明は、請求項１に記載の壁パネル係止構造において、前記突部は、前記壁パネル係止孔に連続または近接する上方の部位を膨出して形成されていることを特徴とするものである。
【０００９】
また、請求項３に記載の発明は、請求項１に記載の壁パネル係止構造において、前記突部は、前記壁パネルの裏板部に形成された縦長の補強突条であり、この補強突条に前記壁パネル係止孔が穿設されていることを特徴とするものである。
【００１０】
また、請求項４に記載の発明は、請求項１から３のいずれかに記載の壁パネル係止構造において、前記突部は、前記第２係止片側が突形状となるように形成されていることを特徴とするものである。
【００１１】
また、請求項５に記載の発明は、請求項１から４のいずれかに記載の壁パネル係止構造において、前記第２係止片の下端部を前記第１係止片の下端部より下方に位置させ、前記下向き開口溝では、前記第１係止片及び第２係止片の各下端部と下向き開口溝における第２係止片の根元部とで前記支柱の面板を挟持するように、下向き開口溝に面する領域に凹所を設けていることを特徴とするものである。
【００１２】
また、請求項６に記載の発明は、請求項１から５のいずれかに記載の壁パネル係止構造において、前記下向き開口溝の上端部から第１係止片の上端部までの高さ寸法が前記支柱係止孔の上下寸法よりも大きくなるように設定され、前記第２係止片の上端部を第１係止片の上端部よりも下方に位置させ、第２係止片における上部の内角部が切り欠き形成され、前記第１係止片が下端側に行くに従って細くなる下窄まり状に形成されていることを特徴とするものである。
【００１３】
【発明の実施の形態】
以下、本発明の実施の形態について、図面に基づいて説明する。図１は壁パネルを支柱に係止した状態の正面図、図２は図１のＩＩ―ＩＩ線矢視一部切欠拡大断面図、図３は第１の実施形態の分解斜視図、図４は図２のＩＶ―ＩＶ線矢視断面図、図５は第１の実施形態の裏板部を支柱側から見た正面図、図６は図４のＶＩ―ＶＩ線矢視断面図、図７及び図８は係止動作を示す説明図である。
【００１４】
本発明の第１の実施形態は、図１に示すように、天井面Ａに断面下向きコ字状の天レール１８を配設し、床面Ｂに断面上向きコ字状の地レール１９を配設し、これら天レール１８と地レール１９との間に支柱１を、左右に適宜隔てて立設配置した支持部２０を介して突っ張り固定し、この支柱１の表面側に係止具３を介して壁パネル２を配置する場合の壁パネル係止構造に適用したものである。
【００１５】
前記支柱１は中空略矩形状に形成されており（図２参照）、係止具３を支柱１における上下の複数箇所に適宜隔てて係止するために（図１参照）、支柱１の表面板１ａには縦長の支柱係止孔５が穿設されている（図３参照）。この実施形態では、前記表面板１ａの同一高さにおいて左右に２箇所並んで前記支柱係止孔５を穿設しており、１本の支柱１に２枚の壁パネル２、２の各側縁を係止して、壁パネル２、２を直列に配置することができる（図２参照）。
【００１６】
前記壁パネル２は、不燃石膏ボード等からなる基板２ａに金属板製の表板部２ｂを固着した構造になっており、前記表板部２ｂの左右側縁を断面コ字状に折り返して裏板部６を形成している（図２参照）。そして、前記各支柱係止孔５に対応した裏板部６の高さ位置には、縦長の壁パネル係止孔７が穿設されている（図３参照）。
【００１７】
裏板部６における壁パネル係止孔７の少なくとも上方には、弾性変形可能な突部１０が一体的に設けられている。第１の実施形態では、突部１０は、壁パネル係止孔７に連続した裏板部６の部位が壁パネル２の表板部２ｂ側に膨出され、所謂ダボとして形成されている。この突部１０は、後述するように壁パネル２が係止具３に係止された状態では、係止具３の第２係止片９側に突出していることになる。突部１０は、壁パネル係止孔７に連続させた上方に設けられていることで、その突形状の下方が開放されており、これにより突部１０の弾性変形を容易にしている。なお、突部１０は、壁パネル係止孔７の上方の近傍位置で且つ後述する第２係止片９で押圧可能な位置に、弾性変形可能に設けることができれば、必ずしも壁パネル係止孔７に連続させる必要はない。
【００１８】
係止具３は、図４に示すように、支柱１の支柱係止孔５に挿入される第１係止片８と、壁パネル２の壁パネル係止孔７に挿入される第２係止片９とを備えている。そして、これら第１係止片８と第２係止片９との間に、上向き開口溝１１と下向き開口溝１２とが形成されている。この実施形態では、係止具３は、金属板をプレス加工することで形成されており、第１係止片８及び第２係止片９がいずれも縦長の爪状で、これらの中途高さ部位が繋がれて上向き開口溝１１と下向き開口溝１２とが上下に一対設けられた形状を有している。
【００１９】
また、係止具３は、下向き開口溝１２の上端部から第１係止片８の上端部までの高さ寸法ｈ１が、支柱係止孔５の上下寸法Ｌ１よりも大きい寸法に設定され、また、第２係止片９の上端部を第１係止片８の上端部よりも適宜寸法ｈ２だけ下方に位置させるとともに、第２係止片９における上部の内角部９ａが凸湾曲状に切り欠き形成されている。
【００２０】
そして、第２係止片９の下端部９ｂを第１係止片８の下端部８ａより適宜寸法ｈ３だけ下方に位置させるとともに、前記下端部８ａ、９ｂと第２係止片９の根元部９ｃとで前記支柱１の表面板１ａを挟持するように、第１係止片８の下向き開口溝１２に面する領域には凹所８ｂを設け、第２係止片９の下向き開口溝１２に面する領域には凹所９ｄを設けている。そのため、第１係止片８の下端部８ａと第２係止片９の下端部９ｂ（あるいは第２係止片９の根元部９ｃ）との間の溝幅寸法Ｓ１（図７参照）は、支柱１の表面板１ａの板厚寸法をＷ１とすると、Ｗ１と等しいかＷ１より僅かに大きくなるように設定（Ｓ１≧Ｗ１）されている。
【００２１】
また、上向き開口溝１１の溝幅寸法Ｓ２は、支柱１の表面板１ａの板厚寸法がＷ１であるのに対して、壁パネル２の裏板部６の板厚寸法をＷ２、突部１０の弾性変形前の突出高さ寸法をＨ１とすると（図８参照）、（Ｗ１＋Ｗ２＋Ｈ１）＞Ｓ２＞（Ｗ１＋Ｗ２）となるように設定されている。
【００２２】
また、第１係止片８は、下端に行くに従って図４における横幅が細くなるように下窄まり状に形成し、その断面積を第２係止片９より小さくして、第２係止片９の重量を第１係止片８の重量よりも大きくしている。これにより、係止具３を支柱１に係止した状態で、第２係止片９が支柱１の外側方に倒れ勝手となるようにしている。
【００２３】
さらに、壁パネル係止孔７の上下寸法Ｌ２が、第２係止片９の上端部から下端部までの高さ寸法ｈ４よりもかなり大きい寸法（約２倍）に設定されている（図８参照）。
【００２４】
このように構成された壁パネル係止構造は、まず、図７に示すように、第１係止片８を斜めにして上端側から支柱係止孔５に挿入し、次いで第１係止片８の下端部８ａを支柱１の表面板１ａの裏面に落とし込むことにより、第１係止片８が支柱係止孔５に係止される。このとき、第２係止片９の上端部を第１係止片８の上端部より寸法ｈ２だけ下方に位置させたことと、第２係止片９の上部の内角部９ａを凸湾曲形状に切り欠き形成したこととが相まって、支柱係止孔５への第１係止片８の挿入が第２係止片９によって阻害されることを防止できる。しかも、第１係止片８を下窄まり状に形成したことにより、第１係止片８自身の支柱係止孔５の下面に支えることが低減され、その挿入を容易にすることができる。
【００２５】
次いで、図８に示すように、第２係止片９の上部の内角部９ａの切り欠き形状をガイドとしながら、壁パネル係止孔７に第２係止片９を挿入するように、上向き開口溝１１へ壁パネル２を落とし込む。前述したように上向き開口溝１１の溝幅寸法Ｓ２が、（Ｗ１＋Ｗ２＋Ｈ１）＞Ｓ２＞（Ｗ１＋Ｗ２）に設定されているため、壁パネル２を上向き開口溝１１へ落とし込むに際して、突部１０が第２係止片９によって押圧されて弾性変形する。そして、図４に示すように、壁パネル２の裏板部６が支柱１の表面部１ａとともに、上向き開口溝１１内にきっちりと嵌め込まれ、係止具３の上下両開口溝１１、１２内に、表面板１ａと裏板部６とが重ねた状態で配置される。これにより、図１に示すように、支柱１における上下の２箇所に取り付けられた係止具３によって、壁パネル２の裏板部６が縦に長く表面部１ａと密着するため、係止時の安定性に優れている。
【００２６】
この壁パネル２を上向き開口溝１１に嵌め込む作業においては、壁パネル２の表板部２ｂ側に立つ作業者からは、第２係止片９の位置が表板部２ｂに隠れるため作業し難いが、第２係止片９の壁パネル係止孔７の上下寸法Ｌ２を、第２係止片９の上端部から下端部までの高さ寸法ｈ４よりもかなり大きい寸法（約２倍）に設定しているため、係止具３の上方側から壁パネル２を被せるように作業すると、容易に壁パネル係止孔７を第２係止片９に被嵌でき、これにより作業性が向上される。
【００２７】
第２係止片９に押圧される突部１０の弾性変形量は、支柱１の表面板１ａの板厚寸法Ｗ１、壁パネル２の裏板部６の板厚寸法Ｗ２、上向き開口溝１１の溝幅寸法Ｓ２の仕上がり寸法に応じて適宜変化する。そのため、これらの寸法Ｗ１、Ｗ２、Ｓ２に多少のバラツキがあっても突部１０の弾性変形量の増減によって吸収でき、上向き開口溝１１において表面板１ａに裏板部６が密接できるから壁パネル２のガタ付きが確実に防止される。
【００２８】
また、下向き開口溝１２においては、互い違いの高さに配置された第１係止片８の下端部８ａ、第２係止片９の下端部９ｂ及び根元部９ｃの３点で、支柱１の表面板１ａを安定的に挟持している。そしてこれに加えて、前記突部１０の弾性変形によって裏板部６が表面板１ａ側に押圧されることの反作用により、支柱１の表面板１ａへ第２係止片９の端部９ｂ及び根元部９ｃ側が押圧される力が生じるため、下向き開口溝１１側でも表面板１ａに対する係止具３のガタ付きが防止できる。
【００２９】
さらに、前述したように、第１係止片８を下窄まり状に形成しその挿入を容易化したことにより、下向き開口溝１２の上端部から第１係止片８の上端部までの寸法ｈ１を大きくすることができたため、支柱係止孔５の上側において、表面板１ａの内面に押圧力として作用するモーメントの腕の長さが長くなる。これにより、第１係止片８の上端側においても係止具３は高い安定性で支柱１に係止することができる。
【００３０】
次に、本発明の第２の実施形態について、図面に基づいて説明する。図９は第２の実施形態の分解斜視図、図１０は第２の実施形態の裏板部を支柱側から見た正面図、図１１は第２の実施形態において図６に相当する断面図である。第１の実施形態と同じ構成について同一符号を付して詳細な説明を省略する。
【００３１】
第２の実施形態の突部は、図９に示すように、壁パネル２の裏板部１０６に一体的に形成された縦長の補強突条１１０であり、壁パネル２の表板部２ｂ側に凸形状となるように形成されている。そして、この補強突条１１０に縦長の壁パネル係止孔１０７が穿設されている。そのため、壁パネル係止孔１０７の上方の部位は、壁パネル２が係止具３に係止された状態では、第２係止片９側に突出しているので、第２係止片９によって押圧され第１の実施形態の突部１０と同様の効果を奏する。
【００３２】
第２の実施形態の突部としての補強突条１１０は、裏板部６全体に縦長に形成されているが、壁パネル係止孔１０７の上方の部位は、下方が壁パネル係止孔１０７によって開放されているため、弾性変形が容易となっている。
【００３３】
また、この補強突条１１０は、上下に長く裏板部１０６に曲げ形成されているため、裏板部１０６全体の強度を向上させる効果も奏する。
【００３４】
さらに、補強突条１１０は、裏板部１０６における幅方向の中央部のみに上下に長く形成されているため、係止具３に係止された壁パネル２は、補強突条１１０の部位を除く縦に長い面で支柱１の表面板１ａと密着するため、係止時の安定性にも優れている。
【００３５】
前述した第１及び第２の実施形態では、突部（１０、補強突条１１０）がいずれも壁パネル２の表板部２ｂ側に突出する形状であったが、突部は支柱１側に突出する形状であってもよい。
【００３６】
例えば、図１２（ａ）は第３の実施形態において図６に相当する断面図であるが、この第３の実施形態の突部は、支柱１側に凸形状となるように壁パネル３の裏板部２０６に形成された縦長の補強突条２１０である。そして、この補強突条２１０に壁パネル係止孔（図示せず）が形成されている。補強突条２１０の両側となる裏板部２０６には、平坦部２１３、２１３が形成されており、広幅に形成された第２係止片２０９が補強突条２１０の両側の平坦部２１３、２１３に当接するように構成されている。
【００３７】
この構成では、裏板部２０６が上向き開口溝２１１に落とし込まれる際に、第２係止片２０９が平坦部２１３、２１３と当接することで、突部２１０における壁パネル係止孔（図示せず）の上方の部位が押圧されて弾性変形する。これにより、上向き開口溝２１１において壁パネル２を支柱１側に密着させる力が作用する。補強突条２１０は縦長に形成されているため、縦に長く支柱１の表面板１ａと当接し、壁パネル２を支柱１に安定的に重ね合わせることができる。
【００３８】
なお、壁パネル２の裏板部２０６を前記表面部１ａにさらに安定的に密着させるためには、補強突条２１０を、表面板１ａとの当接部位が平坦面化した形状にしておくことが望ましい。また、図１２（ａ）では図示していないが、第１係止片２０８も第２係止片２０９と同様に広幅に形成してもよい。
【００３９】
また、図１２（ｂ）は第４の実施形態において図６に相当する断面図であるが、この第４の実施形態の突部３１０は、裏板部３０６における壁パネル係止孔（図示せず）の上方に連続して支柱１側に凸形状となるように膨出して形成されている。そして、突部３１０の両側における裏板部３０６には、突部３１０よりも支柱１側に突出して表面板１ａに当接する平坦部３１３、３１３が設けられている。
【００４０】
この構成では、裏板部３０６が上向き開口溝１１に落とし込まれる際に、第２係止片９が、突部３１０の凹面側に当接し突部３１０をさらに突出させるように押圧して弾性変形させることで、裏板部３０６全体を支柱１の表面板１ａ側に密着させる力が作用する。これにより、壁パネル３０６の平坦部３１３が、支柱１の表面部１ａと縦に長く密着する。なお、この突部３１０は縦長に形成される補強突条であってもよい。
【００４１】
なお、上述してきた第１〜第４の実施形態では、支柱１の表面に２枚の壁パネル２が直列に配置される形態を例示したが、壁パネル係止構造はこの形態に限定するものではない。
【００４２】
例えば、図１３に示すように、出隅部に配置された支柱１に対して係止具３で壁パネル２を配置する場合に適用してもよい。図１３では、一方の壁パネル２を係止具３で支柱１に係止するとともに、他方の壁パネル２を支柱１にねじ止めされたアングル２２のコ字形状部分に壁パネル２２の側縁の断面コ字形状の裏面部６を引っ掛け固定している。また、図１４に示すように、入隅部に配置された支柱１に係止具３で壁パネル２を配置する場合に適用してもよい。図１４では、コーナ部に配置された一方の支柱１に一方の壁パネル２を係止具３で係止するとともに、この壁パネル２の表板部２ｂ側に配置された他方の支柱１に他方の壁パネル２を係止具３で係止している。さらにこれらの他に、支柱１の表面板だけでなく裏面板にも係止具３で壁パネル２を配置する場合等の多様な形態に適用することができる。
【００４３】
【発明の作用・効果】
以上に説明したように、請求項１に記載の発明における壁パネル係止構造は、壁パネルが係止具を介して支柱に係止される構造において、前記係止具には、前記支柱の面板に穿設された支柱係止孔に挿入される第１係止片と、前記壁パネルの裏板部に穿設された壁パネル係止孔に挿入される第２係止片とが備えられ、これら第１係止片と第２係止片との間に、上向き開口溝と下向き開口溝とが形成され、前記壁パネルの裏板部には、弾性変形可能な突部が少なくとも前記壁パネル係止孔の上方に設けられ、前記上下両開口溝内に、前記支柱の面板と前記壁パネルの裏板部とが重ねた状態で配置されるとき、前記突部が前記第２係止片により弾性変形可能に押圧されるように構成したことを特徴とするものである。
【００４４】
これによれば、支柱の面板の板厚寸法、壁パネルの裏板部の板厚寸法、及び上向き開口溝の溝幅寸法を精度良く仕上げなくても、突部の弾性変形量を変化させることにより、上向き開口溝に、支柱の面板と壁パネルの裏板部とを確実にガタ付きなく配置することができる。また、前記突部は壁パネルの裏板部と一体的に形成されているので、突部を取り付けるために製造工数を増やす必要はなく、容易に製造することができる。
【００４５】
また、請求項２に記載の発明は、請求項１に記載の壁パネル係止構造において、前記突部は、前記壁パネル係止孔に連続または近接する上方の部位を膨出して形成されていることを特徴とするものである。これによれば、係止具の第２係止具の上端側によって、突部が確実に押圧される。
【００４６】
また、請求項３に記載の発明は、請求項１に記載の壁パネル係止構造において、前記突部は、前記壁パネルの裏板部に形成された縦長の補強突条であり、この補強突条に前記壁パネル係止孔が穿設されていることを特徴とするものである。これによれば、係止具の第２係止具の上端側によって、突部が確実に押圧される。さらに、補強突条を設けることで裏板部の強度も向上される。
【００４７】
また、請求項４に記載の発明は、請求項１から３のいずれかに記載の壁パネル係止構造において、前記突部は、前記第２係止片側が突形状となるように形成されていることを特徴とするものである。これによれば、突部は第２係止片によってその突形状を平坦化するように変形させられるため、壁パネルを上向き開口溝に差し込む際に突部に速やかに弾性変形を発生させることができる。また、壁パネルにおける支柱側の面を平面として構成し易いため、壁パネルを係止具に係止した際に、壁パネルの裏板部を支柱の面板に大面積で密着させて、係止時の安定性を向上させることができる。
【００４８】
また、請求項５に記載の発明は、請求項１から４のいずれかに記載の壁パネル係止構造において、前記第２係止片の下端部を前記第１係止片の下端部より下方に位置させ、前記下向き開口溝では、前記第１係止片及び第２係止片の各下端部と下向き開口溝における第２係止片の根元部とで前記支柱の面板を挟持するように、下向き開口溝に面する領域に凹所を設けていることを特徴とするものである。これによれば、下向き開口溝において、前記した第１係止片の下端部、第２係止片の下端部及び第２係止片の根元部の３点が、支柱の面板の内側と外側から互い違いに当接して、支柱の面板を挟持するため、係止時の安定性を高め係止強度を向上させることができる。
【００４９】
また、請求項６に記載の発明は、請求項１から５のいずれかに記載の壁パネル係止構造において、前記下向き開口溝の上端部から第１係止片の上端部までの高さ寸法が前記支柱係止孔の上下寸法よりも大きくなるように設定され、前記第２係止片の上端部を第１係止片の上端部よりも下方に位置させ、第２係止片における上部の内角部が切り欠き形成され、前記第１係止片が下端側に行くに従って細くなる下窄まり状に形成されていることを特徴とするものである。
【００５０】
これによれば、下向き開口溝の上端部から第１係止片の上端部までの高さ寸法が前記支柱係止孔の上下寸法よりも大きくなるように設定することにより、支柱係止孔の上側において、面板の内面に押圧力として作用するモーメントの腕の長さが長くなるため、支柱に対する係止強度を向上させることができる。そして、このように第１係止片を上側に長くしても、第２係止片の上端部を第１係止片の上端部よりも下方に位置させ、第２係止片における上部の内角部を切り欠き形成しているため、第１係止片を支柱係止孔に挿入するに際して、第２係止片の上端部が支柱の外面に当接して支えることを防止することができる。加えて、第１係止片の下端側を下窄まり状に形成しているため、第１係止片を支柱係止孔に挿入するに際して、第１係止片の下端側が支柱の外面に当接してに支えることを防止することができる。
【図面の簡単な説明】
【図１】壁パネルを支柱に係止した状態の正面図である。
【図２】図１のＩＩ―ＩＩ線矢視一部切欠拡大断面図である。
【図３】第１の実施形態の分解斜視図である。
【図４】図２のＩＶ―ＩＶ線矢視断面図である。
【図５】第１の実施形態の裏板部を支柱側から見た正面図である。
【図６】図４のＶＩ―ＶＩ線矢視断面図である。
【図７】係止動作を示す説明図である。
【図８】係止動作を示す説明図である。
【図９】第２の実施形態の分解斜視図である。
【図１０】第２の実施形態の裏板部を支柱側から見た正面図である。
【図１１】第２の実施形態において図６に相当する断面図である。
【図１２】（ａ）は第３の実施形態において図６に相当する断面図、（ｂ）は第４の実施形態において図６に相当する断面図である。
【図１３】支柱に対する壁パネルの配置の他例を示す断面図である。
【図１４】支柱に対する壁パネルの配置の他例を示す断面図である。
【符号の説明】
Ａ          天井面
Ｂ          床面
１          支柱
１ａ        表面板
２          壁パネル
２ａ        基板
２ｂ        表板部
３、２０３  係止具
５          支柱係止孔
６、１０６、２０６、３０６  裏板部
７、１０７  壁パネル係止孔
８、２０８  第１係止片
８ａ、９ｂ  下端部
８ｂ、９ｄ  凹所
９、２０９  第２係止片
９ａ        内角部
９ｃ        根元部
１０、１１０、２１０、３１０  突部
１１、２１１  上向き開口溝
１２        下向き開口溝
１８        天レール
１９        地レール
２０        支持部
２２        アングル
２１３、３１３  平坦部
【図１】
2005048377.tif 000003
【図２】
2005048377.tif 000004
【図３】
2005048377.tif 000005
【図４】
2005048377.tif 000006
【図５】
2005048377.tif 000007
【図６】
2005048377.tif 000008
【図７】
2005048377.tif 000009
【図８】
2005048377.tif 000010
【図９】
2005048377.tif 000011
【図１０】
2005048377.tif 000012
【図１１】
2005048377.tif 000013
【図１２】
2005048377.tif 000014
【図１３】
2005048377.tif 000015
【図１４】
2005048377.tif 000016